(57)【要約】【課題】天板を使用する使用者が、天板に対して大きく移動することなく容易に天板を昇降させることができる天板昇降式什器を提供する。【解決手段】天板２と、天板２を昇降可能に支持する支持体と、支持体の伸縮を制御する制御部と、を備え、天板２は、表層２０と、シート本体２３Ａ、およびシート本体２３Ａの少なくとも一部に形成され、かつ操作を検出するための電極２１を有するセンサシート２３と、少なくとも一部が剛性を有し、表層２０を支持する基層２２と、を有し、センサシート２３は、表層２０と、基層２２との間に配置され、制御部は、電極２１から伝達される操作の検出結果に基づいて、天板２を昇降する。【選択図】図２
2019080850.tif 000002
【特許請求の範囲】
【請求項１】
天板と、
前記天板を昇降可能に支持する支持体と、
前記支持体の伸縮を制御する制御部と、を備え、
前記天板は、表層と、
シート本体、および前記シート本体の少なくとも一部に形成され、かつ操作を検出するための電極を有するセンサシートと、
少なくとも一部が剛性を有し、前記表層を支持する基層と、を有し、
前記センサシートは、前記表層と前記基層との間に配置され、
前記制御部は、前記電極から伝達される操作の検出結果に基づいて、前記天板を昇降する天板昇降式什器。
【請求項２】
請求項１に記載の天板昇降式什器であって、
前記表層は、表面を形成する化粧シートと、複数のコアシートと、を積層状態で一体化することにより形成されている天板昇降式什器。
【請求項３】
請求項２に記載の天板昇降式什器であって、
前記センサシートが、前記表層と積層状態で一体化されている天板昇降式什器。
【発明の詳細な説明】
【技術分野】
【０００１】
本発明は、天板昇降式什器に関する。
【背景技術】
【０００２】
従来、天板と、天板を支持する支持体と、を備えたデスク装置（天板昇降式什器）が知られている。
天板を昇降させる技術として、たとえば、ガススプリングを用いる方法やギアを用いる方法（特許文献１，２）などが知られている。
特許文献１，２に開示された技術は、構造が簡易であるのでコストを安く抑えることができる。しかしながら、特許文献１，２に開示された技術では、力の弱い使用者にとっては操作しにくい場合があったり、天板の高さによっては天板を昇降させるために無理な姿勢を強いたりすることがある。
また、天板付什器が備えるワイヤーを操作部により操作して、ガススプリングのストッパ等をロック又は解除し、天板を昇降動作させる技術が知られている（特許文献３，４，５）。
また、天板を昇降させる際の操作性を向上させるために、電動式の駆動ユニットを用いて天板を昇降させる技術が知られている（特許文献６）。特許文献３，４，５，６に開示された技術では、天板近傍に配される操作部やスイッチ（以下、操作部等という）を用いて使用者が天板の昇降操作をすることができる。
【先行技術文献】
【特許文献】
【０００３】
【特許文献１】特許第３３７１９５９号公報
【特許文献２】特許第３３９１２８５号公報
【特許文献３】実用新案登録第３１６４７３９号公報
【特許文献４】特開２０１４−１１３５０５号公報
【特許文献５】特許第５７１８５０３号公報
【特許文献６】特開２０１６−８６９０９号公報
【発明の概要】
【発明が解決しようとする課題】
【０００４】
しかしながら、特許文献３，４，５，６に開示された技術は、操作部等を操作して天板を昇降させるようになっている。このため、例えば大型の天板に操作部等が配置されている場合には、天板を昇降させる使用者が操作部等に届く位置まで移動して操作する必要があるので、操作に手間がかかる。
【０００５】
本発明は、上述した事情に鑑みてなされたものであって、天板を使用する使用者が、天板に対して大きく移動することなく容易に天板を昇降させることができる天板昇降式什器を提供することを目的とする。
【課題を解決するための手段】
【０００６】
本発明の一態様は、天板と、前記天板を昇降可能に支持する支持体と、前記支持体の伸縮を制御する制御部と、を備え、前記天板は、表層と、シート本体、および前記シート本体の少なくとも一部に形成され、かつ操作を検出するための電極を有するセンサシートと、少なくとも一部が剛性を有し、前記表層を支持する基層と、を有し、前記センサシートは、前記表層と前記基層との間に配置され、前記制御部は、前記電極から伝達される操作の検出結果に基づいて、前記天板を昇降する天板昇降式什器。
【０００７】
このように構成された天板昇降式什器では、制御部が、表層と基層との間に配置されたセンサシートの電極から伝達される操作の検出結果に基づいて、天板を昇降させることができる。
このため、天板を使用する使用者が、天板に対して大きく移動することなく容易に天板を昇降させることができる。
【０００８】
また、本発明に係る天板昇降式什器では、前記表層は、表面を形成する化粧シートと、複数のコアシートと、を積層状態で一体化することにより形成されてもよい。
このように構成された天板昇降式什器では、表層が、化粧シートと複数のコアシートとにより一体に積層されているので、表層の強度を容易に確保することができる。
【０００９】
また、本発明に係る天板昇降式什器では、前記センサシートが、前記表層と積層状態で一体化されてもよい。
【００１０】
このように構成された天板昇降式什器では、センサシートが表層と積層状態で一体化されているので、センサシートを、表層と基層との間に配置するための作業を省くことができ、天板の製造性を向上することができる。
【発明の効果】
【００１１】
本発明に係る天板昇降式什器によれば、天板を使用する使用者が、天板に対して大きく移動することなく容易に天板を昇降させることができる。
【図面の簡単な説明】
【００１２】
【図１】本発明の一実施形態に係る天板昇降式什器の斜視図である。
【図２】図１に示す天板の分解斜視図である。
【図３】図２に示す天板のＡ−Ａ線矢視断面図である。
【発明を実施するための形態】
【００１３】
本発明の第１実施形態について、図１から図３を参照して説明する。図１は、本実施形態に係るデスク装置１（天板昇降式什器）の斜視図である。図２は、図１に示す天板２の分解斜視図である。図３は、図２に示す天板２のＡ−Ａ線矢視断面図である。本実施形態では、天板昇降式什器の一例として、デスク装置を説明している。なお、天板昇降式什器としてはデスク装置に限られず、例えば天板付の棚等であってもよい。
以下の説明において、デスク装置１の使用者から見た前後方向をデスク装置１の前後方向Ｘ、使用者から見た左右方向をデスク装置１の左右方向Ｙという。また、使用者から見た上下方向をデスク装置１の上下方向Ｚという。
【００１４】
図１に示すように、本実施形態に係るデスク装置１は、天板２と、天板２を昇降可能に支持する支持体５と、支持体５の伸縮を制御する制御部１５と、を備えている。天板２は上面視で矩形状をなし、上面３と下面４とを有する。
支持体５は、梁部６と、軸部７と、脚部８と、昇降駆動部１０と、制御部１５と、を有している。梁部６は、天板２の前後方向Ｘに延びている。梁部６は、天板２の左右端に１つずつ配されている。
【００１５】
軸部７は、梁部６を介して天板２に接続されている。軸部７は、天板２の下面４から垂直に下方へ延びている。
脚部８は、床面に接触してデスク装置１を支持するとともに、昇降駆動部１０を介して軸部７に連結されている。本実施形態では、脚部８は、床面と平行に延びる水平部８ａと、軸部７と同軸をなして垂直に延びる第一筒部８ｂ及び第二筒部８ｃとを有している。
【００１６】
昇降駆動部１０は、軸部７、第一筒部８ｂ、および第二筒部８ｃが延びる上下方向Ｚに沿って、これらを相対移動させるためのモータとギア（不図示）を有している。昇降駆動部１０は、制御部１５に電気的に接続されている。制御部１５は、後述する電極２１から伝達される操作の検出結果に基づいて、昇降駆動部１０を動作させ、支持体５が上下方向Ｚに伸縮することで天板２が昇降する。
【００１７】
そして本実施形態では、図２に示すように、天板２は、表面が天板２の上面を構成する表層２０と、操作を検出するための電極２１を有するセンサシート２３と、少なくとも一部が剛性を有し、表層２０を支持する基層２２と、を有している。表層２０、センサシート２３、および基層２２は上面視で矩形状をなし、互いに同等の形状、大きさを成している。
【００１８】
表層２０は、表面を形成する化粧シート２０Ａと、複数のコアシート２０Ｂと、を積層状態で一体化することにより形成されている。図示の例では、表層２０は、化粧シート２０Ａの下方に３枚のコアシート２０Ｂが上下方向Ｚに積層された状態で、一体化されている。化粧シート２０Ａの上面視における形状および大きさは、コアシート２０Ｂと同等となっている。なお、コアシート２０Ｂの枚数は任意に変更することができる。
【００１９】
化粧シート２０Ａの上方を向く表面には、木目等の意匠性を備えた模様が施されている。化粧シート２０Ａには、例えばメラミン化粧板を採用することができる。コアシート２０Ｂとしては、例えばクラフト紙を採用することができる。
【００２０】
センサシート２３は、表層２０と基層２２との間に配置されている。表層２０とセンサシート２３との間、およびセンサシート２３と基層２２との間にはそれぞれ、接着剤（図示せず）が介在している。接着剤により、表層２０、センサシート２３および基層２２が固着されている。
なお、このような態様に限られず、例えばセンサシート２３が、表層２０と積層状態で一体化されていてもよい。センサシート２３を表層２０と積層状態で一体に形成することで、部品点数を削減し、天板２の組立工数を削減することができる。
【００２１】
センサシート２３は、例えば紙材料等により形成されている。センサシート２３におけるシート本体２３Ａの少なくとも一部に電極２１が形成されている。本実施形態では、電極２１は、例えばナノ銀インク等の導電性材料がセンサシート２３にプリントされることで形成されている。なお、電極２１は板状やフィルム状に形成され、センサシート２３に接着等により貼付されてもよい。
【００２２】
基層２２は、剛性を有する基材２２Ａと、基材２２Ａの下方に位置する裏面材２２Ｂと、を備えている。基材２２Ａは、例えば非金属材料等により形成されている。裏面材２２Ｂは上面視で基材２２Ａと同等の形状、大きさをなしている。なお、裏面材２２Ｂは設けられなくてもよい。
【００２３】
基層２２には、この基層２２を上下方向Ｚに貫く貫通孔２２Ｃが形成されている。貫通孔２２Ｃは、基材２２Ａとともに裏面材２２Ｂを貫いている。図示の例では、左右方向Ｙにおける一方側の端部に、前後方向Ｘに列をなすように、複数の電極２１と対応して、複数の貫通孔２２Ｃが配置されている。貫通孔２２Ｃは上面視で円形状を呈する。なお、貫通孔２２Ｃの位置、数量、および形状は任意に変更することができる。
【００２４】
電極２１は、センサシート２３の裏面に配置され、表層２０を介して天板２上での操作を検出可能となっている。複数の電極２１は、表層２０と基材２２Ａとの間における左右方向Ｙの一方側の端部に、前後方向Ｘに列をなしている。
電極２１は、少なくとも一部が貫通孔２２Ｃに臨むように配置されている。電極２１は上面視で一対の２辺が前後方向Ｘに延びるとともに、残り一対の２辺が左右方向Ｙに延びる矩形状を呈する。電極２１の左右方向Ｙの大きさは、前後方向Ｘの大きさよりも大きくなっている。なお、電極２１の位置、数量、および形状は任意に変更することができる。
【００２５】
電極２１は、センサシート２３に複数設けられ、互いに同等の形状、および大きさをなしている。複数の電極２１は、前後方向Ｘに間隔をあけて配置されている。複数の電極２１それぞれにおける左右方向Ｙの端部と、貫通孔２２Ｃと、の上面視における位置が互いに同等となっている。
【００２６】
また本実施形態では、図３に示すように、デスク装置１は、貫通孔２２Ｃ内に配置され、電極２１に電気的に接続された電極接続部３０を有している。電極接続部３０は、基層２２に固定されたセンサ基部３１と、センサ基部３１に取り付けられたセンサ基板３２と、電極２１に接触し、センサ基板３２と電極２１とを電気的に接続する接点部３３と、を備えている。
【００２７】
センサ基部３１は、円柱状をなしている。センサ基部３１の下端部には、径方向の外側に向けて突出するフランジ部３１Ａが形成されている。センサ基部３１は貫通孔２２Ｃ内に下方から挿入されている。センサ基部３１のフランジ部３１Ａが、裏面材２２Ｂにおける下方を向く下面に固定されている。
【００２８】
センサ基板３２には、電極２１に対して行った操作による静電容量の変化に基づいて、操作内容を認識するセンサが採用されている。接点部３３は、センサ基板３２の上面と、電極２１の下面と、の間に配置されている。
接点部３３には、上下方向Ｚに付勢されたバネ部材が採用されている。図示の例では、バネ部材は板バネである。このため、センサ基板３２と電極２１との間の寸法がばらつく場合であっても、確実にセンサ基板３２と電極２１とを電気的に接続することができる。また、センサ基板３２は、制御部１５と電気的に接続されている。
【００２９】
次に、本実施形態に係るデスク装置１の操作方法について説明する。
使用者がデスク装置１の天板２を昇降させる際には、天板２の上面のうち、電極２１の上方に位置する部分で所定の操作を行う。所定の操作としては、例えば天板２の上面に接触させた指を左右方向Ｙの一方側にスライドさせると天板２を昇降させ、他方側にスライドさせると天板２を下降させるというように、任意に設定しておくことができる。
【００３０】
電極２１が検出した操作内容を、接点部３３を介してセンサ基板３２が認識すると、センサ基板３２は、制御部１５に操作内容を伝達する。そして、制御部１５は昇降駆動部１０に入力する指令値を生成した後に、昇降駆動部１０に指令値を入力する。昇降駆動部１０が、入力された指令値に基づいて駆動することで、支持体５が伸縮し、デスク装置１の天板２が昇降、又は下降する。
【００３１】
以上説明したように、本実施形態に係るデスク装置１によれば、制御部１５が、表層２０と基層２２との間に配置されたセンサシート２３の電極２１から伝達される操作の検出結果に基づいて、天板２を昇降させることができる。
このため、天板２を使用する使用者が、天板２に対して大きく移動することなく容易に天板２を昇降させることができる。
【００３２】
また、表層２０が化粧シート２０Ａと複数のコアシート２０Ｂとにより一体に積層されているので、表層２０の強度を容易に確保することができる。
また、センサシート２３が表層２０と積層状態で一体化されている場合には、センサシート２３を、表層２０と基層２２との間に配置するための作業を省くことができ、天板２の製造性を向上することができる。
【００３３】
また、電極２１が、表層２０と基層２２との間に配置されているので、電極２１と、天板２上で操作を行う使用者の指と、の距離を短くすることが可能になり、使用者の指が接触した際に、電極２１において静電容量の変化を正確に検出しやすくすることができる。
また、電極２１が、センサシート２３に印刷されているので、電極２１の形状を自由に変更することができるとともに、金型を用いて製造するような構成と比較して、小量ロット毎に生産することが可能になり、製造に際しての初期費用を抑えることができる。
【００３４】
また、基層２２に貫通孔２２Ｃが形成され、電極２１の少なくとも一部が貫通孔２２Ｃに臨むように配置されている。このため、電極接続部３０が内部に配置される貫通孔２２Ｃの上面視における大きさを小さくしながら、電極２１の上面視における大きさを大きくすることができる。これにより、貫通孔２２Ｃを小さくして天板２の強度を確保しながら、電極２１を大きくして、天板２上のうち、使用者が操作を行える範囲を広くすることができる。
【００３５】
なお、本発明の技術的範囲は前記実施形態に限定されるものではなく、本発明の趣旨を逸脱しない範囲において種々の変更を加えることが可能である。
【００３６】
例えば、上記実施形態においては、センサシート２３が上面視で基層２２と同等の形状、および大きさをなしている構成を示したが、このような態様に限られない。例えばセンサシート２３は、上面視で基層２２に形成された貫通孔２２Ｃの周囲のみを覆うような形状、および大きさであってもよい。
【００３７】
また、デスク装置１が、例えばデスク装置１が昇降機構に加えて照明器具を備え、使用者が照明器具の点灯又は消灯を、天板２上で操作するような態様であってもよい。
【００３８】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００３９】
１  デスク装置
２  天板
５  支持体
２０  表層
２０Ａ  化粧シート
２０Ｂ  コアシート
２１  電極
２２  基層
２３  センサシート
【図１】
2019080850.tif 000003
【図２】
2019080850.tif 000004
【図３】
2019080850.tif 000005